(57)【要約】      （修正有）【課題】珪藻土の含有率を高くしてもバスマットとして強度性を保持することができると共に亀裂の発生を抑制することができ、吸水能により速乾性に優れると共に防カビ性にも優れた珪藻土マットを提供する。【解決手段】珪藻土バスマット１は、吸水作用にすぐれる珪藻土含有焼成体層２と、珪藻土含有焼成体層の下方に配された衝撃吸収層であるクッションマット層３と、クッションマット層の下方に配された防カビ性にすぐれるプラスチックダンボール層４とを有している。【選択図】図３
0003214141.tif 000002
【実用新案登録請求の範囲】
【請求項１】
珪藻土含有焼成体層と、該珪藻土含有焼成体層の下方に配されたクッションマット層と、該クッションマット層の下方に配されたプラスチックダンボール層とを有することを特徴とする珪藻土バスマット。
【請求項２】
前記珪藻土含有焼成体層は、上面に複数の凸部を有している請求項１に記載の珪藻土バスマット。
【請求項３】
前記珪藻土含有焼成体層は、複数の珪藻土含有板状焼成体が水平方向に並設されて形成されている請求項１または２に記載の珪藻土バスマット。
【請求項４】
前記珪藻土含有板状焼成体は、珪藻土と粘土からなる請求項３に記載の珪藻土バスマット。
【請求項５】
前記珪藻土含有板状焼成体は、前記珪藻土の含有率が６５〜９０重量％である請求項４に記載の珪藻土バスマット。
【請求項６】
前記珪藻土含有板状焼成体は、前記珪藻土の含有率が７０〜８０重量％である請求項５に記載の珪藻土バスマット。
【請求項７】
前記珪藻土バスマットは枠体を有している請求項１ないし６のいずれかに記載の珪藻土バスマット。
【請求項８】
前記枠体は、前記プラスチックダンボール層の上面に載置固定されている請求項７に記載の珪藻土バスマット。
【考案の詳細な説明】
【技術分野】
【０００１】
本考案は、珪藻土の高い吸水能を利用した、速乾性、強度性および防カビ性に優れた珪藻土バスマットに関するものである。
【背景技術】
【０００２】
近年、珪藻土の高い吸水能を利用した珪藻土バスマットが多用されている。例えばそのような珪藻土マットとして、実用新案登録第３１５５８９６号公報の奥能登珪藻土バスマットなどが提案されている。
【０００３】
ところで、珪藻土バスマットは、多孔質の珪藻土が濡れた足裏の水分を素早く吸収することにより足裏を瞬時に乾燥させるものであるため、珪藻土の含有率は高いほどバスマットの吸水性は高くなり好ましい。
【０００４】
しかし、珪藻土は結着性においては脆弱な素材であるため、多量の珪藻土をバスマットに含有させると強度が低くなり亀裂の原因になることから、従来の珪藻土バスマットでは、珪藻土の含有量が比較的少量に制限されている。また、バスマットは湿気の多い脱衣所などに配置されるため、カビが繁殖しやすいという問題があった。
【先行技術文献】
【特許文献】
【０００５】
【特許文献１】実用新案登録第３１５５８９６号公報
【考案の概要】
【考案が解決しようとする課題】
【０００６】
そこで、本考案の課題は、珪藻土の含有率を高くしてもバスマットとして強度性を保持することができる共に亀裂の発生を抑制することができ、吸水能により速乾性に優れると共に防カビ性にも優れた珪藻土マットを提供することにある。
【課題を解決するための手段】
【０００７】
上記課題を解決するものは、珪藻土含有焼成体層と、該珪藻土含有焼成体層の下方に配されたクッションマット層と、該クッションマット層の下方に配されたプラスチックダンボール層とを有することを特徴とする珪藻土バスマットである（請求項１）。
【０００８】
前記珪藻土含有焼成体層は、上面に複数の凸部を有していることが好ましい（請求項２）。前記珪藻土含有焼成体層は、複数の珪藻土含有板状焼成体が水平方向に並設されて形成されていることが好ましい（請求項３）。前記珪藻土含有板状焼成体は、珪藻土と粘土からなることが好ましい（請求項４）。前記珪藻土含有板状焼成体の前記珪藻土は、含有率が６５〜９０重量％であることが好ましい（請求項５）。前記珪藻土含有板状焼成体の前記珪藻土は、含有率が７０〜８０重量％であることがより好ましい（請求項６）。前記珪藻土バスマットは枠体を有していることが好ましい（請求項７）。前記枠体は、前記プラスチックダンボール層の上面に載置固定されていることが好ましい（請求項８）。
【考案の効果】
【０００９】
請求項１に記載した珪藻土バスマットによれば、珪藻土の含有率を高くしてもバスマットとして強度性を保持することができると共に亀裂の発生を抑制することができ、吸水能により速乾性に優れると共に防カビ性にも優れた珪藻土バスマットとなる。
請求項２に記載した珪藻土バスマットによれば、上記請求項１の効果に加え、複数の凸部が足裏に当接して足つぼを刺激し、マッサージ効果により血流を改善すると共に、足裏と珪藻土含有焼成体層の上面との接触面積が大きくなり、足裏に付着した水分をより確実に吸水する珪藻土バスマットとなる。
請求項３に記載した珪藻土バスマットによれば、上記請求項１または２の効果に加え、珪藻土含有焼成体層が分割された複数の板状体にて構成されていることにより、より強度性に優れ亀裂の発生をより抑制できる珪藻土バスマットとなる。
請求項４に記載した珪藻土バスマットによれば、上記請求項１ないし３の効果に加え、有害な物質が使用されず地肌を害することなく安全安心な珪藻土バスマットとなる。
請求項５に記載した珪藻土バスマットによれば、上記請求項１ないし４の効果に加え、吸水能に優れ速乾性の高い珪藻土バスマットとなる。
請求項６に記載した珪藻土バスマットによれば、上記請求項１ないし４の効果に加え、吸水能に優れ速乾性が高く強度性にも優れた珪藻土バスマットとなる。
請求項７に記載した珪藻土バスマットによれば、上記請求項１ないし６の効果に加え、各構成材との一体性を保持してより耐久性に優れた珪藻土バスマットとなる。
請求項８に記載した珪藻土バスマットによれば、上記請求項１ないし７の効果に加え、より防カビ性に優れた珪藻土バスマットとなる。
【図面の簡単な説明】
【００１０】
【図１】本考案の珪藻土バスマットの一実施例の斜視図である。
【図２】図１に示した珪藻土バスマットの平面図である。
【図３】図２のＡ−Ａ線断面図である。
【図４】図１に示した珪藻土バスマットの分解斜視図である。
【考案を実施するための形態】
【００１１】
本考案では、珪藻土含有焼成体層２と、珪藻土含有焼成体層２の下方に配されたクッションマット層３と、クッションマット層３の下方に配されたプラスチックダンボール層４とを有していることで、珪藻土の含有率を高くしてもバスマットとして強度性を保持することができる共に亀裂の発生を抑制することができ、吸水能により速乾性に優れると共に防カビ性にも優れた珪藻土バスマット１を実現した。
【実施例１】
【００１２】
本考案の珪藻土バスマットを図１ないし図４に示した一実施例を用いて説明する。
この実施例の珪藻土バスマット１は、図３に示すように、珪藻土含有焼成体層２と、珪藻土含有焼成体層２の下方に配されたクッションマット層３と、クッションマット層３の下方に配されたプラスチックダンボール層４と、枠体５（外枠５ａ，内枠５ｂ）を有している。以下、各構成について順次詳述する。
【００１３】
珪藻土含有焼成体層２は、その上面に足裏を載置して珪藻土の吸水作用により、足裏に付着した水分を瞬時に吸水するための部位である。
【００１４】
この実施例の珪藻土含有焼成体層２は、上面に複数の凸部６を有しており、これら複数の凸部６が足裏に当接して足つぼを刺激し、マッサージ効果により血流を改善すると共に、足裏と珪藻土含有焼成体層の上面との接触面積が大きくなり、足裏に付着した水分をより確実に吸水するように構成されている。ただし、本考案の珪素土バスマットは、珪藻土含有焼成体層の上面に複数の凸部を有するものに限定されるものではなく、珪藻土含有焼成体層がフラットな上面を有するものも本考案の範疇に包含される。また、この実施例の複数の凸部６は略半球面状に形成されているが、これに限定されるものではなく、どのような形態の凸部を有するものも本考案の範疇に包含される。
【００１５】
この実施例の珪藻土含有焼成体層２は、図３または図４に示すように、複数の珪藻土含有板状焼成体７が水平方向に並設されて形成されている。このように、珪藻土含有焼成体層２が分割された複数の板状体（この実施例では４枚の板状体）にて構成されることによって、珪藻土含有焼成体層２がより強度性に優れたものとなり、亀裂の発生をより抑制することできる。ただし、本考案の珪藻土含有焼成体層２は、複数の珪藻土含有板状焼成体により構成されるものに限定されるものではなく、一枚の珪藻土含有板状焼成体により構成されたもの、４枚以外の複数の珪藻土含有板状焼成体により構成されたものも本考案の範疇に包含される。
【００１６】
そして、この実施例の珪藻土含有焼成体層２を構成する珪藻土含有板状焼成体７は、珪藻土と粘土から構成されている。このように、珪藻土含有板状焼成体７が珪藻土と粘土のみから構成される無垢の焼成体であることから、有害物質、着色料、添加物または釉薬などが使用されておらず、地肌を害することなく安全安心な珪藻土バスマットが構成される。
【００１７】
珪藻土含有板状焼成体７の珪藻土は、含有率が６５〜９０重量％であることが好ましい。これにより、吸水能に優れ速乾性の高い珪藻土バスマットが構成される。より好ましくは  珪藻土含有板状焼成体の前記珪藻土は、含有率が７０〜８０重量％である。これにより、吸水能に優れ速乾性が高く、かつ強度性にも優れた珪藻土バスマットが構成される。
【００１８】
珪藻土含有板状焼成体７の作製方法としては、珪藻土と粘土とを混練した後、プレス成形し、成形体を乾燥させる。その後、乾燥した成形体を焼成炉にて２４時間程度、８００〜１０５０℃の温度で焼成する方法が挙げられる。
【００１９】
クッションマット層３は、特に上方からの衝撃吸収層として機能する部位であり、珪藻土含有焼成体層２の下方に配されている。クッションマット層３としては、例えば弾性シート材などの弾性材、弾性網体、或いは発泡性シート材などが好適に使用できる。このように、珪藻土含有焼成体層２の下方にクッションマット層３が設けられていることにより、この層が衝撃を吸収して珪藻土含有板状焼成体７における亀裂の発生をより抑制するため、珪藻土の含有率を高くしても、バスマットとして連続使用に耐え得る強度性と耐久性を保持することができると共に、吸水能により速乾性に優れた珪藻土バスマットが構成される。なお、この実施例の珪藻土バスマット１は、一枚のクッションマットによりクッションマット層３が構成されているが、これに限定されるものではなく、複数枚のクッションマットによりクッションマット層が構成されたものも本考案の範疇に包含される。
【００２０】
プラスチックダンボール層４は、衝撃吸収層として機能すると共に、クッションマット層３の下方に配されて最下層を構成する部位である。これにより、防カビ性にも優れた珪藻土バスマットが構成される。なお、この実施例の珪藻土バスマット１は、一枚のプラスチックダンボールによりプラスチックダンボール層４が構成されているが、これに限定されるものではなく、複数枚のプラスチックダンボールによりプラスチックダンボール層が構成されたものも本考案の範疇に包含される。
【００２１】
さらに、この実施例の珪藻土バスマット１は、枠体５を有している。具体的には、枠体５は、図２または図４に示すように、矩形の外枠（木枠）５ａと、外枠（木枠）５ａの内側に設けられた矩形の内枠（木枠）５ｂとから構成されている。このように、珪藻土バスマット１が枠体５を有することにより、各構成部（珪藻土含有焼成体層２、クッションマット層３、プラスチックダンボール層４および枠体５）の一体性を保持して、より耐久性に優れ、長期間使用可能な堅牢な珪藻土バスマットが構成される。なお、この実施例の枠体５は内枠（木枠）５ｂを有しているが、内枠を有しないものも本考案の珪藻土バスマットの範疇に包含される。
【００２２】
なお、各構成部（珪藻土含有焼成体層２、クッションマット層３、プラスチックダンボール層４および枠体５）は相互に接着剤等の接合材料にて固着されている。また、枠体５の下面は、図３に示すように、プラスチックダンボール層の上面に載置固定（固着）されていることが好ましい。これによって、より防カビ性に優れた珪藻土バスマットが構成される。
【符号の説明】
【００２３】
１        珪藻土バスマット
２        珪藻土含有焼成体層
３        クッションマット層
４        プラスチックダンボール層
５        枠体
５ａ      外枠
５ｂ      内枠
６        凸部
７        珪藻土含有板状焼成体
【図１】
0003214141.tif 000003
【図２】
0003214141.tif 000004
【図３】
0003214141.tif 000005
【図４】
0003214141.tif 000006